(57)【要約】【課題】ラッピング材において、製造コストの低コスト化が図れるものであり、また被ラッピング物の包装が容易に行え、包装後の見栄えも豪華で、インパクトと審美感とを兼備したものが得られるようにする。【解決手段】被ラッピング物を包むための包装材２と、この包装材２に対してこれを横断する状態で脱落不能に保持され、且つこの横断方向に沿って移動自在とされた絞り紐３とを有したものとする。【選択図】図１
0003121586.tif 000002
【実用新案登録請求の範囲】
【請求項１】
被ラッピング物（Ｗ）を包むための包装材（２）と、この包装材（２）に対してこれを横断する状態で脱落不能に保持され且つこの横断方向に沿って移動自在とされた絞り紐（３）とを有していることを特徴とするラッピング材。
【請求項２】
前記絞り紐（３）は包装材（２）を横断した状態でその両端部が包装材（２）より延び出る長さに形成されていることを特徴とする請求項１記載のラッピング材。
【請求項３】
前記包装材（２）には絞り紐（３）が横断する部位にその横断方向に沿って貫通する紐通し袋部（１０）が設けられており、絞り紐（３）がこの紐通し袋部（１０）内に通されていることを特徴とする請求項１又は請求項２記載のラッピング材。
【請求項４】
前記包装材（２）は複数枚のシート（５，６）が重ね合わせられることによって形成されており、これらシート（５，６）の重ね合わせ間で絞り紐（３）を通す紐通し袋部（１０）が形成されていることを特徴とする請求項３記載のラッピング材。
【請求項５】
前記包装材（２）は複数枚のシート（５，６）が重ね合わせられることによって形成されていることを特徴とする請求項１乃至請求項３のいずれかに記載のラッピング材。
【請求項６】
前記包装材（２）を形成する複数枚のシート（５，６）のうち少なくとも包装材（２）の片面側には非透水性を有するシート（５）が配されていることを特徴とする請求項４又は請求項５記載のラッピング材。
【請求項７】
前記絞り紐（３）は包装材（２）の一辺に近接する配置で設けられていることを特徴とする請求項１乃至請求項６のいずれかに記載のラッピング材。
【請求項８】
前記絞り紐（３）は包装材（２）において互いに対峙する二辺に各近接する配置で相互平行状態に対となって設けられており、包装材（２）上におけるこれら対となる絞り紐（３）の相互間で被ラッピング物（Ｗ）の収納スペース（２０）が形成可能になっていることを特徴とする請求項１乃至請求項６のいずれかに記載のラッピング材。
【請求項９】
前記絞り紐（３）は複数本の紐素材（１２）により形成されていることを特徴とする請求項１乃至請求項８のいずれかに記載のラッピング材。
【考案の詳細な説明】
【技術分野】
【０００１】
本考案は、ラッピング材に関するものである。
【背景技術】
【０００２】
花束などを販売したり購入後の持ち帰り用に包装したりするためのラッピングシート（特許文献１等参照）やラッピング袋などは周知である（特許文献２等参照）。ラッピングシートは透明な樹脂フィルム等によって一枚ものの平らなシートとして形成されており、ラッピング袋は透明な樹脂フィルム等によってラッパ状の円錐筒形に形成されている。
一方、花束などを贈答用とする（ブーケなどとする）場合、見栄えを一層高めるのに好適な包装材も知られている（特許文献３等参照）。この種の包装材は、樹脂フィルムを内側に使い、その外側に紙や不織布、或いは布帛を重ねて互いに固定した複合材により、ラッパ状の円錐筒形に形成されたものであって、ボリュウム感と豪華さとを生起させる点に重点をおいている。
【特許文献１】特開平６−２５５６７０号公報
【特許文献２】特開２００２−１２８１７０号公報
【特許文献３】特開２００５−１４９８７号公報
【考案の開示】
【考案が解決しようとする課題】
【０００３】
一枚ものの平らなシートであるラッピングシート（特許文献１等）では、花束などに巻き付けるようにする手間が必要で、体裁よく巻き付けるには器用さと感性、及び熟練が必要とされている。また透明な樹脂フィルムを素材としているが故に、包装状態として豪華さには欠ける嫌いがあった。
ラッパ状の円錐筒形に形成されたラッピング袋（特許文献２等）では、予め、円錐筒形に仕上げておくために、シート素材を三角形に裁断したりこれを熱溶着したりする加工を要している。また透明な樹脂フィルムを素材としているために包装状態としての豪華さに欠ける難点は解決されていない。このことから、加工上の低コスト化が図れていると唄ってはいるものの、豪華さを醸し出せない点との兼ね合いで、コスト高の印象は払拭できないものであった。
【０００４】
一方、複合素材でラッパ状の円錐筒形に形成された包装材（特許文献３等）では、内側素材となる樹脂フィルムと外側素材となる紙等とをそれぞれ、互いの寸法関係を適正に保ちつつ所定形状のパーツとして裁断する手間が必要で、またこれら内側素材と外側素材とを重ね合わせて固定する手間も必要になる。
しかも外側素材が透明感や光沢感を持たない素材であるために、この外側素材には周方向にヒダ状の型付けを付与させるといった手間が必要になるなど、製造に多くの工程が必要になっていた。そのため、製造コストが高コストになるという不具合があった。
【０００５】
また、花束などを包装したときに外側素材が一定傾斜のテーパ形になる（淡泊な外観になる）のを防止するためには、根本側を別途、リボンで結んで明確な括れを持たせ、括れ部分から先方にお椀型の膨らみを出させたり、外観上のアクセントを付けたりすることが重要になる。そのため、リボン結びは必須不可欠な手間となるが、それ故、上記したラッピングシートやラッピング袋に比べて、花束などの包装には一層、器用さと感性、及び熟練が必要となっていた。
【０００６】
本考案は、上記事情に鑑みてなされたものであって、製造コストの低コスト化が図れるようにしたラッピング材を提供することを目的とする。
また本考案は、器用さや感性、熟練などを殊更要さずとも被ラッピング物の包装が容易に行え、また包装後の見栄えも豪華で、インパクトと審美感とを兼備したものが得られるようにしたラッピング材を提供することを目的とする。
【課題を解決するための手段】
【０００７】
前記目的を達成するために、本考案は次の手段を講じた。
即ち、本考案に係るラッピング材は、被ラッピング物を包むための包装材と、この包装材に対してこれを横断する状態で脱落不能に保持され且つこの横断方向に沿って移動自在とされた絞り紐とを有している。
このような構成であると、絞り紐の長手方向中央部へ向けて包装材の両側を押し寄せるようにしたときに、包装材には皺が生じつつ、絞られるようになる。このことから、予め包装材によって被ラッピング物を巻き込むような状態（簀巻き状態）にして包装材の両端側を合わせた状態にしてから、上記のように絞り紐の両端部を同時に引き出すようなことをすると、結果として包装材は皺を生じさせながら恰も、茶巾絞りのように絞り込まれるものとなる（簀巻きの径が小さくなる）。
【０００８】
そこで、このような状態で絞り紐の両端部を飾り結び（蝶結びなど）すれば、いとも簡単に被ラッピング物の包装ができてしまうことになる。
このようなことから、器用さや感性、熟練などを殊更要さずとも被ラッピング物の包装が容易に行える。また、このように包装すれば、包装材に生じた皺がボリュウム感を醸しだし、見栄えが豪華となり、これを看た者にインパクトと審美感とを持たせることができる。また、構造が極めて簡潔であるから製造コストの低コスト化が図れる。
【０００９】
絞り紐は、包装材を横断した状態でその両端部が包装材より延び出るような長さに形成するのが好適である。このようにすることで絞り紐の両端部が持ちやすくなる。
包装材には、絞り紐が横断する部位に対し、その横断方向に沿って貫通する紐通し袋部を設けておけばよく、この紐通し袋部内に絞り紐を通すようにすればよい。このようにすることで絞り紐の脱落を防止できるものであり、またこの脱落防止措置が簡潔な構造によって実現できる。構造の簡潔化は、言うまでもなく製造の容易性に繋がり、また低コスト化に繋がる。
【００１０】
包装材は、複数枚のシートを重ね合わせることで形成することができる。この場合、シートの重ね合わせ間で絞り紐を通す紐通し袋部を形成することもできる。
なお、複数枚のシートを重ね合わせることで包装材を形成する場合、包装材の少なくとも一方の片面側となるシートには、非透水性を有するもの（例えば樹脂フィルム等）を配するのが好適である。このようにすることで、花束などを被ラッピング物とする場合に、茎に付着した水によって包装材が軟弱化したり破れたりすることを防止できる。
【００１１】
絞り紐は包装材の一辺に近接する配置で設けることができる。なお、これに限定されず、包装材の中央部を横断する配置で設けるようにしてもよい。
絞り紐は、包装材において互いに対峙する二辺に各近接する配置となるように、互いに平行させた状態で対となって設けることができる。このようにすることで、包装材上にはこれら対となる絞り紐の相互間で被ラッピング物の収納スペースを形成させることができる。
【００１２】
すなわち、この収納スペースへ被ラッピング物を収納させた状態で、この被ラッピング物の両側を絞り紐で絞るようにできるので、結果、これら絞り部分の相互間でバケット状の収納スペースを形成できるということである。このようなバケット状の収納スペースであれば、例えば植木鉢に植えた植物を被ラッピング物としたり、容器に入った菓子類や置物、小物類を被ラッピング物としたりすることができる。
【００１３】
絞り紐は複数本の紐素材により形成することができる。このようにすることで、絞り紐として強度を高めることができる。また、各紐素材の色や素材を異ならせることで、見た目のアクセントを生起させることができる。
【考案の効果】
【００１４】
本考案に係るラッピング材は製造コストの低コスト化が図れるものであり、また被ラッピング物の包装が容易に行え、包装後の見栄えも豪華で、インパクトと審美感とを兼備したものが得られる。
【考案を実施するための最良の形態】
【００１５】
以下、本考案の実施の形態を、図面に基づき説明する。
図１及び図５は、本考案に係るラッピング材１の第１実施形態を示している。このラッピング材１は包装材２と絞り紐３とを有している。
包装材２は被ラッピング物Ｗ（図３乃至図５では花束である場合を例示してある）を包むところで、複数枚（図例では２枚）のシート５，６を重ね合わせることで形成されている。
【００１６】
各シート５，６のうち、包装材２の一方の片面側となるシート５には、非透水性を有するもの（例えば樹脂フィルムや金属泊等）が配されている。他方の片面側となるシート６の素材は殊更限定されるものではなく、例えば紙（殊に和紙等）、不織布、布帛、樹脂フィルム、網、薄い人工皮革、金属箔などを採用可能である。非透水性のシート５が内側になるように包装材２を用いれば、被ラッピング物Ｗが花束等である場合に茎に付着した水によって包装材２が軟弱化したり破れたりすることを防止できる。
【００１７】
本実施形態ではいずれのシート５，６も長方形をしたものとしてあるが、非透水性のシート５は、他方のシート６に対してその全周においてはみ出すように一回り大きく形成されている。すなわち非透水性のシート５の外形大きさが包装材２としての大きさとなっている。
具体例として、非透水性のシート５は長辺の長さＨが４９５ｍｍ、短辺の長さＤが３５３ｍｍとしてあり、他方のシート６は長辺の長さｈが４７５ｍｍ、短辺の長さｄが３３０ｍｍとしてある。そして包装材２としての長辺側において、非透水性のシート５が１０ｍｍの幅ａで均等にはみ出すようにしてあり、また包装材２としての短辺側において、非透水性のシート５が一方側では２１ｍｍの幅ｂではみ出し、他方側では３ｍｍの幅ｃではみ出すようにしてある。
【００１８】
各シート５，６は、縫着等により、互いの重ね合わせ状態がズレたり剥がれたりしないように結合されている。縫着の他、接着剤を用いた接着、超音波溶着や熱溶着などによる接着、両面テープを用いた接着などによって結合することもできる。互いの結合（縫着等）箇所７は、包装材２としての一方の長辺にやや近接する位置付けとしてあり、且つこの長辺に沿わせてある。
【００１９】
この包装材２には紐通し袋部１０が設けられている。この紐通し袋部１０は包装材２をその長手方向で貫通するように形成されており、この紐通し袋部１０内に絞り紐３が通されている。
図２に示すように、本実施形態において紐通し袋部１０は、シート５，６の重ね合わせ間で形成させるようにしてあり、上記した結合（縫着等）箇所７を２本平行して設けることにより、この２本の結合箇所７の相互間で紐通し袋部１０が形成されるようにしてある。すなわち、結合箇所７には、複数のシート５，６を結合する作用と紐通し袋部１０を形成させる作用との二つの作用がある。
【００２０】
絞り紐３は、上記したように包装材２を横断するように設けられた紐通し袋部１０内に通されていることから、この包装材２を横断状態で、且つ脱落不能に設けられていることになる。また包装材２に対し、その横断方向に沿って移動自在に設けられていることになる。
絞り紐３は、包装材２を横断した状態でその両端側が包装材２より延び出るような長さに形成されており、絞り紐３の両端が持ちやすくなっている。
【００２１】
本実施形態において、この絞り紐３は複数本の紐素材１２（図例では５本の平紐とした）により形成されており、絞り紐３としての強度が高められている。また各紐素材１２はそれぞれ異なる色としてあり、見た目のアクセントを生起させてある。
このような構成のラッピング材１では、まず図３に示すように、非透水性のシート５が上を向くようにして包装材２を広げ、絞り紐３が横断する位置の上に被ラッピング物Ｗの縛り位置（花束なら茎を束ねた部分）が交差するようにしながら、被ラッピング物Ｗを置く。
【００２２】
そして図４に示すように、包装材２によって被ラッピング物Ｗを巻き込むような状態（簀巻き状態）にして包装材２の両端側を合わせる。そしてこの状態から絞り紐３の両端部を同時に引き出すような感じで、絞り紐３の長手方向中央部へ包装材２の両側を押し寄せるようにする（矢符Ｘ参照）。
すると、結果として包装材２にはその両端部から皺が生じてゆき、恰も、茶巾絞りのように包装材２を絞り込む（簀巻きの径を小さくさせる）ことができる。このようにしたなら、あとは絞り紐３の両端部で飾り結び（蝶結びなど）をするだけで、図５に示すようにいとも簡単に被ラッピング物Ｗの包装ができてしまう。
【００２３】
このように、器用さや感性、熟練などを殊更要さずとも被ラッピング物Ｗの包装が容易に行える。またこのように包装すれば、包装材２に生じた皺がボリュウム感を醸しだし、見栄えが豪華となり、これを看た者にインパクトと審美感とを起こさせることができる。
またこのようなラッピング材１は、構造が極めて簡潔であるから製造コストの低コスト化が図れている。
【００２４】
図６は本考案に係るラッピング材１の第２実施形態を示している。この第２実施形態のラッピング材１が上記した第１実施形態と最も異なるところは、包装材２に設けられる紐通し袋部１０が、シート６（非透水性のシート５では無い方）における両側の短辺寄りに設けたスリット１５の相互間で開通されている点にある。
このようなスリット１５を設けると、被ラッピング物Ｗの包装時において図４に示す状態を作るときに、包装材２の両端を、着物を着るときの懐重ねのような重ね合わせ状態にすることができる。従って、この部分で被ラッピング物Ｗを確実に包み隠すことができるようになり、良好な見栄えを保持できる利点がある。
【００２５】
なお、図示は省略したが、紐通し袋部１０を形成させるための結合箇所７を形成させてもよいことは第１実施形態の場合と同様である。ただ、本第２実施形態では、両側のスリット１５が絞り紐３の脱落防止作用や移動保持作用を生じさせることになるので、上記の結合箇所７は必須不可欠というものではなく、紐通し袋部１０とは別の箇所でシート５，６相互を結合させるようにしてもよい。
【００２６】
図７は本考案に係るラッピング材１の第３実施形態を示している。この第３実施形態のラッピング材１は、上記した第２実施形態と略同様であり、包装材２に設けられる紐通し袋部１０がスリット１５の相互間で開通されたものであるが、この紐通し袋部１０の長手方向中途部にも複数箇所（偶数箇所）にスリット１６が設けられている点で、第２実施形態と異なっている。
【００２７】
このように紐通し袋部１０に複数のスリット１６を設けることで、絞り紐３を縫うように各スリット１６ごとへくぐらせる状態にできる。これにより、包装材２と絞り紐３との相対的な移動を安定して行わせることができるようになる。
図８乃至図１０は本考案に係るラッピング材１の第４実施形態を示している。この第４実施形態のラッピング材１は、包装材２において非透水性のシート５が絞り紐３の横断位置を超えて長大化された延長部１７を有している点で上記各実施形態と異なる。
【００２８】
このように非透水性のシート５に延長部１７が設けられていると、被ラッピング物Ｗの包装時において、図９及び図１０に示すように被ラッピング物Ｗの包装側端部に被せるように延長部１７を折り返して、これ（被ラッピング物Ｗの包装側端部）を完全に包み込むことができる。
従って、被ラッピング物Ｗが花束などのように水分の付着するものであった場合に、包装後にもこの水分が外部へ漏れ出すことがないようにできる。そのため例えば、スポンジや脱脂綿のような保水材に水を含ませ、これを被ラッピング物Ｗの包装側端部へ付属させるようにして一緒に包装するといったことも可能になり、被ラッピング物Ｗが花束などである場合にその美しさを長持ちさせる、といった使い方もできる。
【００２９】
図１１乃至図１５は本考案に係るラッピング材１の第５実施形態を示している。この第５実施形態のラッピング材１では、包装材２において互いに対峙する二辺に各近接する配置となるように、絞り紐３を互いに平行させた状態で対となるように設けてある。
なお、これら対となる絞り紐３に各対応するように、包装材２には紐通し袋部１０が２本設けられている。
【００３０】
このように互いに平行する対となる絞り紐３を有しているため、包装材２上には両絞り紐３の相互間で被ラッピング物Ｗの収納スペース２０を形成させることができる。すなわち、この収納スペース２０へ被ラッピング物Ｗを収納させた状態で、この被ラッピング物Ｗの両側を絞り紐３で絞るようにできるので、結果、これら絞り部分の相互間でバケット状の収納スペース２０を形成できるということである。
【００３１】
このようなバケット状の収納スペース２０であれば、例えば植木鉢に植えた植物を被ラッピング物Ｗとしたり、容器に入った菓子類や置物、小物類を被ラッピング物（図示略）としたりすることができる。
ところで、本考案は、上記した各実施形態に限定されるものではなく、実施の形態に応じて適宜変更可能である。
【００３２】
例えば、包装材２は１枚、又は３枚以上のシートによって形成されたものとすることができる。また包装材２（シート）は長方形に限らず、正方形、その他の多角形、円形や長円形、楕円形などとしてもよい。
絞り紐３は１本、又は６本以上の紐素材によって形成されたものとすることができる。
被ラッピング物Ｗは特に限定されるものではない。絞り紐３は、リボン生地のものやロープ状の編み紐などを使用することもでき、場合によっては針金を使用することもできる。
【図面の簡単な説明】
【００３３】
【図１】本考案に係るラッピング材の第１実施形態を示した斜視図である。
【図２】図１のＡ−Ａ線拡大断面図である。
【図３】第１実施形態のラッピング材により被ラッピング物を包装する手順の１を示した斜視図である。
【図４】図３に続く手順２を示した斜視図である。
【図５】図４の手順を経て包装が完了した状態を示した斜視図である。
【図６】本考案に係るラッピング材の第２実施形態を示した斜視図である。
【図７】本考案に係るラッピング材の第３実施形態を示した斜視図である。
【図８】本考案に係るラッピング材の第４実施形態を示した斜視図である。
【図９】第４実施形態のラッピング材（図８）により被ラッピング物を包装する手順の１を示した斜視図である。
【図１０】図９に続く手順２を示した斜視図である。
【図１１】本考案に係るラッピング材の第５実施形態を示した斜視図である。
【図１２】第５実施形態のラッピング材により被ラッピング物を包装する手順の１を示した斜視図である。
【図１３】図１２に続く手順２を示した斜視図である。
【図１４】図１３に続く手順３を示した斜視図である。
【図１５】図１４の手順を経て包装が完了した状態を示した斜視図である。
【符号の説明】
【００３４】
１  ラッピング材
２  包装材
３  絞り紐
５  シート
６  シート
１０  紐通し袋部
１２  紐素材
２０  収納スペース
Ｗ  被ラッピング物
【図１】
0003121586.tif 000003
【図２】
0003121586.tif 000004
【図３】
0003121586.tif 000005
【図４】
0003121586.tif 000006
【図５】
0003121586.tif 000007
【図６】
0003121586.tif 000008
【図７】
0003121586.tif 000009
【図８】
0003121586.tif 000010
【図９】
0003121586.tif 000011
【図１０】
0003121586.tif 000012
【図１１】
0003121586.tif 000013
【図１２】
0003121586.tif 000014
【図１３】
0003121586.tif 000015
【図１４】
0003121586.tif 000016
【図１５】
0003121586.tif 000017